(57)【要約】【課題】簡単な構成でゴミを容易に投入できるゴミストッカーを提供することである。【解決手段】投入口２の周縁に、投入口２を覆い、投入口２を横断する横断線上で分割された可撓性を有するネット部材６を取り付け、分割されたネット部材６の分割端の長さに余裕代を持たせて、ネット部材６の分割端に沿って、伸縮可能で可撓性を有するコイルばね７を装着し、コイルばね７の両端を横断線上の投入口６の口枠５に係止して、各コイルばね７が縮んだ状態で、ネット部材６の分割端同士が突き合わされるようにすることにより、袋等に入れたゴミをネット部材６の分割端の部分に載せるのみで、ゴミの重量でコイルばね７が伸びて、長さに余裕代を持たせて突き合わされたネット部材６の分割端が開口するようにし、簡単な構成でゴミを容易に投入できるようにした。【選択図】図２
2010215329.tif 000002
【特許請求の範囲】
【請求項１】
箱状の本体の上部に投入口を設け、投入口から投入されるゴミをストックするゴミストッカーにおいて、前記投入口の周縁に、投入口を覆い、投入口を横断する横断線上で分割された可撓性を有するネット部材を取り付け、これらの分割されたネット部材の分割端の長さに余裕代を持たせて、この長さに余裕代を持たせた各ネット部材の分割端に沿って、伸縮可能で可撓性を有する条部材を装着し、これらの条部材の両端を前記横断線上の投入口の縁に係止して、各条部材が縮んだ状態で、条部材を装着した前記ネット部材の分割端同士が突き合わされるようにしたことを特徴とするゴミストッカー。
【請求項２】
前記伸縮可能で可撓性を有する条部材を螺旋状のコイルばねとした請求項１に記載のゴミストッカー。
【請求項３】
前記螺旋状のコイルばねの両端をボルトのねじ山に螺着し、これらのボルトを介して、コイルばねの両端を前記投入口の横断線上の縁に係止した請求項２に記載のゴミストッカー。
【請求項４】
前記ネット部材を前記投入口の周縁に着脱可能に取り付けた請求項１乃至３のいずれかに記載のゴミストッカー。
【請求項５】
前記箱状の本体の少なくとも１面をメッシュ部材で形成した請求項１乃至４のいずれかに記載のゴミストッカー。
【発明の詳細な説明】
【技術分野】
【０００１】
本発明は、袋等に入れたゴミを投入してストックするゴミストッカーに関する。
【背景技術】
【０００２】
店舗、事業所、地域コミュニティ、公共施設等では、袋等に入れたゴミを投入して、ゴミが収集されるまでストックする箱状のゴミストッカーが利用されている。これらのゴミストッカーは屋外に設置されることが多く、犬猫やカラス等が投入されたゴミを食い散らかさないように、上部の投入口を開閉する蓋が設けられている（例えば、特許文献１、２参照）。特許文献１に記載されたものでは、蓋を手で持ち上げるようにしている。また、本体にヒンジで結合した蓋を上方へ回動させたり、蓋を横方向へスライドさせたりして、蓋を手で開閉するゴミストッカーも汎用されている。
【０００３】
特許文献２に記載されたものでは、図７に示すように、斜め下方に延びるアーム部５１ａを有する蓋５１を、投入口５２の内側に取り付けたブラケット５３の支軸５３ａに回転可能に支持し、アーム部５１ａの下部にウェイト５４を取り付けて、蓋５１を投入口５２の背面側へ押圧し、ゴミを押し込む力で蓋５１を内側へ開閉するようにしている。また、支軸５３ａの端に固着した歯車５５ａと噛み合う歯車５５ｂを設け、この歯車５５ｂにトルクダンパ５６を取り付けて、ゴミの投入後に蓋５１が急激に閉まらないようにしている。
【先行技術文献】
【特許文献】
【０００４】
【特許文献１】特開平７−３１５５０１号公報
【特許文献２】実開平５−４４９０１号公報
【発明の概要】
【発明が解決しようとする課題】
【０００５】
特許文献１に記載されたものや汎用されているゴミストッカーのように、蓋を手で開閉するものは、蓋を開けるときに手に持ったゴミを地面等に降ろす必要があり、ゴミの投入に手間がかかる問題がある。
【０００６】
特許文献２に記載されたものは、ゴミを蓋に押し付けるのみで容易に投入できるが、蓋の開閉機構が複雑なものとなり、ゴミストッカーの製造コストが高くなる問題がある。また、投入口の背面側に押圧される蓋で手を挟む危険もある。
【０００７】
そこで、本発明の課題は、簡単な構成でゴミを容易に投入できるゴミストッカーを提供することである。
【課題を解決するための手段】
【０００８】
上記の課題を解決するために、本発明は、箱状の本体の上部に投入口を設け、投入口から投入されるゴミをストックするゴミストッカーにおいて、前記投入口の周縁に、投入口を覆い、投入口を横断する横断線上で分割された可撓性を有するネット部材を取り付け、これらの分割されたネット部材の分割端の長さに余裕代を持たせて、この長さに余裕代を持たせた各ネット部材の分割端に沿って、伸縮可能で可撓性を有する条部材を装着し、これらの条部材の両端を前記横断線上の投入口の縁に係止して、各条部材が縮んだ状態で、条部材を装着した前記ネット部材の分割端同士が突き合わされるようにした構成を採用した。
【０００９】
すなわち、投入口の周縁に、投入口を覆い、投入口を横断する横断線上で分割された可撓性を有するネット部材を取り付け、これらの分割されたネット部材の分割端の長さに余裕代を持たせて、この長さに余裕代を持たせた各ネット部材の分割端に沿って、伸縮可能で可撓性を有する条部材を装着し、これらの条部材の両端を横断線上の投入口の縁に係止して、各条部材が縮んだ状態で、条部材を装着したネット部材の分割端同士が突き合わされるようにすることにより、袋等に入れたゴミをネット部材の分割端の部分に載せるのみで、ゴミの重量で条部材が伸びて、長さに余裕代を持たせて突き合わされたネット部材の分割端が開口するようにし、簡単な構成でゴミを容易に投入できるようにした。なお、ゴミが軽過ぎるときは、ゴミを下方へ軽く押すのみで、分割端を開口させることができる。
【００１０】
前記伸縮可能で可撓性を有する条部材を螺旋状のコイルばねとすることにより、条部材の耐久寿命を長くすることができる。
【００１１】
前記螺旋状のコイルばねの両端部をボルトのねじ山に螺着し、これらのボルトを介して、コイルばねの両端を前記投入口の横断線上の縁に係止することにより、コイルばねの伸縮時の応力集中を低減し、条部材の耐久寿命をより長くすることができる。
【００１２】
前記ネット部材を前記投入口の周縁に着脱可能に取り付けることにより、古くなったネット部材を容易に交換することができる。
【００１３】
前記箱状の本体の少なくとも１面をメッシュ部材で形成することにより、本体の重量を軽くすることができる。
【発明の効果】
【００１４】
本発明に係るゴミストッカーは、投入口の周縁に、投入口を覆い、投入口を横断する横断線上で分割された可撓性を有するネット部材を取り付け、これらの分割されたネット部材の分割端の長さに余裕代を持たせて、この長さに余裕代を持たせた各ネット部材の分割端に沿って、伸縮可能で可撓性を有する条部材を装着し、これらの条部材の両端を投入口の横断線上の縁に係止して、各条部材が縮んだ状態で、条部材を装着したネット部材の分割端同士が突き合わされるようにしたので、袋等に入れたゴミをネット部材の分割端の部分に載せるのみで、ゴミの重量で条部材が伸びて、長さに余裕代を持たせて突き合わされたネット部材の分割端が開口し、簡単な構成でゴミを容易に投入することができる。
【図面の簡単な説明】
【００１５】
【図１】ゴミストッカーの実施形態を示す外観斜視図
【図２】図１の投入口の正面図
【図３】図２のネット部材の周縁の取り付け部を拡大して示す斜視図
【図４】図２のネット部材の分割端部を拡大して示す断面図
【図５】図２のコイルばねの端部の係止部を拡大して示す断面図
【図６】図２の投入口にゴミを投入する状態を示す正面図
【図７】従来のゴミストッカーの投入口を示す断面図
【発明を実施するための形態】
【００１６】
以下、図面に基づき、本発明の実施形態を説明する。このゴミストッカーは、図１に示すように、角形の箱状の本体１の上部前面側が斜めに傾斜するゴミの投入口２とされ、投入口２を除く全面が、本体１の枠３に取り付けられたメッシュ部材としての金網４で形成されている。
【００１７】
図２に示すように、前記投入口２は、口枠５に周縁部を取り付けられ、投入口２を横断する横断線上で分割された可撓性を有する化繊製のネット部材６で覆われ、分割されたネット部材６の分割端の長さに余裕代が持たされて、この分割端に沿って、伸縮可能で可撓性を有する条部材としてのコイルばね７が装着されている。螺旋状の各コイルばね７の両端部は、ボルト８を介して、横断線上で口枠５に係止されている。また、口枠５は上辺側を本体１の枠３にヒンジ９で回動可能に結合され、投入されたゴミを取り出すときに、上方へ回動される。
【００１８】
図３に示すように、前記ネット部材６の周縁の取り付け部は、ネット部材６の周縁の線素材６ａと円形断面の口枠５とが、螺旋状のワイヤ部材１０で内包されている。したがって、ワイヤ部材１０を回転させながら抜き取ることにより、ネット部材６を口枠５から取り外すことができる。ネット部材６を口枠５に取り付けるときは、ワイヤ部材１０を逆向きに回転させながら差し込む。なお、ネット部材６の周縁は、紐等で口枠５に縛り付けることもできる。
【００１９】
図４に示すように、前記ネット部材６の分割端には、折り返し縫いされたバネ通し部６ｂが設けられ、このバネ通し部６ｂにコイルばね７が通されて装着されている。
【００２０】
図５に示すように、前記螺旋状のコイルばね７の両端部は、コイルばね７の内径と等しいボルト８のねじ山に螺着され、これらのボルト８が口枠５に取り付けられたブラケット１１に締め込まれて、コイルばね７の両端が口枠５に係止されている。このコイルばね７は、両端部の長い線長でボルト８のねじ山に螺着されているので、伸縮時の応力集中が低減される。なお、コイルばね７の両端に鈎部やリング部等の係止部を設け、これらの係止部を口枠５に係止することもできる。
【００２１】
図６は、前記投入口２に袋入りのゴミＡを投入する状態を示す。ゴミＡをネット部材６の分割端の部分に載せると、ゴミＡの重量によって分割端に装着されたコイルばね７が伸び、長さに余裕代を持たせて突き合わされたネット部材６の分割端が開口して、ゴミＡが本体１内に落下する。ゴミＡが軽いときは、下方へ軽く押すことにより、ネット部材６の分割端を開口させることができる。
【００２２】
上述した実施形態では、ネット部材の分割端に装着する条部材をコイルばねとしたが、条部材は紐状のゴム等とすることもできる。
【００２３】
また、上述した実施形態では、本体を上部前面側に傾斜する投入口を設けた角形の箱状のものとし、投入口を除く全面を金網のメッシュ部材で形成したが、本体の形状は、実施形態のものに限定されることはなく、上部に投入口が設けられたものであればよい。また、本体は側面等の一部の面のみをメッシュ部材で形成してもよい。
【符号の説明】
【００２４】
１  本体
２  投入口
３  枠
４  金網
５  口枠
６  ネット部材
６ａ  線素材
６ｂ  バネ通し部
７  コイルばね
８  ボルト
９  ヒンジ
１０  ワイヤ部材
１１  ブラケット
【図１】
2010215329.tif 000003
【図２】
2010215329.tif 000004
【図３】
2010215329.tif 000005
【図４】
2010215329.tif 000006
【図５】
2010215329.tif 000007
【図６】
2010215329.tif 000008
【図７】
2010215329.tif 000009